(57)【要約】【課題】装置の構成を複雑化することなくロール紙のカールを補正することが可能なプリンタ装置を提供する。【解決手段】ロール紙１１を切断するための板状の固定刃２０および円形状の回転刃３０と、固定刃２０に対して回転刃３０を回転しながら移動させる回転刃保持部材４０、レール部５０、駆動ベルト６０、駆動モータ側ギヤ７０および駆動ベルト支持ギヤ８０とを備えたプリンタ装置１において、固定刃２０およびレール部５０は、ロール紙１１のカールを補正することが可能な方向に湾曲している。また、回転刃保持部材４０は、回転刃３０を回転可能に支持する軸部４３およびホイール部材４４と、駆動ベルト６０に取り付けられ、駆動ベルト６０の移動に伴って移動するベルト取付部４１ｄと、レール部５０に対して移動可能に係合するレール係合部４１ｅと、固定刃２０に接触するとともに、駆動ベルト６０の移動に伴って回転することにより回転刃３０を回転させるためのＯ−リング４６とを有している。【選択図】図２
2005131870.tif 000002
【特許請求の範囲】
【請求項１】
ロール紙を印画するためのサーマルヘッド部と、印画された前記ロール紙の先端および後端を切断するための金属製の板状の固定刃および金属製の円形状の回転刃と、前記固定刃に対して前記回転刃を回転しながら移動させる回転刃駆動機構部とを備えたプリンタ装置において、
前記板状の固定刃は、前記印画されたロール紙のカールを補正することが可能な方向に所定の曲率半径で湾曲された切断面を有しており、
前記回転刃駆動機構部は、
前記板状の固定刃の湾曲された切断面と同じ方向に湾曲されたレール部と、
前記回転刃を前記レール部に沿って移動させるための駆動ベルトと、
前記回転刃を回転可能に支持する支持部と、前記駆動ベルトに取り付けられ、前記駆動ベルトの移動に伴って移動するベルト取付部と、前記レール部に対して移動可能に係合するレール係合部と、前記固定刃に接触するとともに、前記駆動ベルトの移動に伴って回転することにより前記回転刃を回転させるためのタイヤ状部材とを有する回転刃保持部材とを含み、
前記回転刃保持部材が前記湾曲されたレール部に沿って移動することにより、前記円形状の回転刃は、前記板状の固定刃の湾曲された切断面と所定の重なりを維持しながら、かつ、回転しながら移動するように構成されている、プリンタ装置。
【請求項２】
ロール紙を印画するためのサーマルヘッド部と、
印画された前記ロール紙を切断するために設けられ、前記印画されたロール紙のカールを補正することが可能な方向に湾曲された切断面を有する板状の固定刃と、
前記板状の固定刃の湾曲された切断面と接触する切断面を有する可動刃とを備えた、プリンタ装置。
【請求項３】
前記可動刃は、前記板状の固定刃の湾曲された切断面と所定の重なりを維持しながら、かつ、前記板状の固定刃の湾曲された切断面に沿って回転しながら移動するように構成された円形状の回転刃を含む、請求項２に記載のプリンタ装置。
【請求項４】
前記板状の固定刃の湾曲された切断面と同じ方向に湾曲されたレール部と、前記回転刃を前記レール部に沿って移動させるための駆動ベルトとをさらに備える、請求項３に記載のプリンタ装置。
【請求項５】
前記回転刃を回転可能に支持する支持部と、前記駆動ベルトに取り付けられ、前記駆動ベルトの移動に伴って移動するベルト取付部と、前記レール部に対して移動可能に係合するレール係合部と、前記固定刃に接触するとともに、前記駆動ベルトの移動に伴って回転することにより前記回転刃を回転させるためのタイヤ状部材とを有する回転刃保持部材をさらに備える、請求項４に記載のプリンタ装置。
【発明の詳細な説明】
【技術分野】
【０００１】
本発明は、プリンタ装置に関し、特に、２つの刃により用紙を切断するプリンタ装置に関する。
【背景技術】
【０００２】
従来、２つの刃により用紙を切断するカッター機構部を備えたプリンタ装置（印刷装置）が知られている（たとえば、特許文献１、特許文献２および特許文献３参照）。
【０００３】
上記特許文献１には、支点を中心にハサミ形式で切断動作する固定刃および可動刃を有し、固定刃および可動刃の刃先の少なくとも一方が、切断動作方向において反る方向に湾曲しているカッターを備えた従来の第１の例によるテープ処理装置（テープ印刷装置）が開示されている。この特許文献１に開示された構造では、テープ（用紙）の切断動作において、カッターに加えるトルクを小さくすることができる。
【０００４】
また、上記特許文献２には、直刃形状の固定下刃と、上下動して固定下刃との対で用紙（ロール紙）を切断する直刃形状の可動上刃とを備えた従来の第２の例によるカッター付きプリンタが開示されている。また、上記カッター付きプリンタは、用紙搬送路に、用紙案内下支え部材と、用紙案内下支え部材に向かって用紙（ロール紙）を押さえる回転可能なホイールとを備えている。この特許文献２に開示された構造では、ホイールと用紙案内下支え部材とにより、ロール紙のカールによって生じた膨らみ部分を押さえつつ搬送し、直刃形状の固定下刃と可動上刃とにより用紙を切断する。
【０００５】
また、上記特許文献３には、給紙部と印字部との間に、用紙（ロール紙）のカール癖を矯正する方向に用紙（ロール紙）を変形させる補正ローラを設け、補正ローラを、用紙（ロール紙）の矯正方向において移動可能に構成するとともに、用紙（ロール紙）を切断する用紙切断機構を備えた従来の第３の例によるロール紙の補正装置が開示されている。この特許文献３に開示された構造では、補正ローラによる矯正力を変化させることができるので、用紙（ロール紙）にカール癖の強弱に応じて適正な矯正を行った後、用紙（ロール紙）を切断して排出する。
【０００６】
図１２は、従来のプリンタ装置の全体構成を示した概略図である。図１３は、従来のプリンタ装置のロール紙切断動作を概略的に示した図である。図１４は、図１３の矢印Ｇ方向から見た状態を示した図である。図１２〜図１４を参照して、従来の第４の例によるプリンタ装置１００について説明する。
【０００７】
この従来の第４の例によるプリンタ装置１００は、図１２に示すように、ロール紙１１１を供給するための給紙部１１２と、メインローラ１１３ａとピンチローラ１１３ｂとを含む用紙搬送機構部１１３と、プラテンローラ１１４ａと印字ヘッド１１４ｂとを含む、ロール紙１１１に印字を行う印字ヘッド部１１４と、ロール紙１１１に印画するためのサーマルヘッド部１１５と、固定刃１２０および回転刃１３０を含むカッター機構部１１０とを備えている。このカッター機構部１１０において、図１３および図１４に示すように、固定刃１２０は、板状の平坦な直刃であり、回転刃１３０は、円形状を有する。
【０００８】
この従来の第４の例によるプリンタ装置１００の動作としては、図１２に示すように、給紙部１１２から送り出されたロール紙１１１は、メインローラ１１３ａとピンチローラ１１３ｂとからなる用紙搬送機構部１１３により搬送される。そして、ロール紙１１１は、プラテンローラ１１４ａと印字ヘッド１１４ｂとからなる印字ヘッド部１１４で印字さ
れ、サーマルヘッド部１１５で加熱されて印画される。その後、固定刃１２０および回転刃１３０を含むカッター機構部１１０において、先端と後端を切断されて装置外に排出される。また、ロール紙１１１は、固定刃１２０の下方を搬送される。このカッター機構部１１０の用紙切断動作において、ロール紙１１１が、用紙押え部材（図示せず）によって固定刃１２０の下面に押え付けられた後、回転刃１３０が、図１３および図１４の矢印Ｈ方向に回転するとともに、固定刃１２０に沿って図１３および図１４の矢印Ｉ方向に移動することによって、ロール紙１１１を切断する。
【特許文献１】特開平１０−１７５１９５号公報
【特許文献２】特開２０００−６４８６号公報
【特許文献３】特開平１０−２６５１１０号公報
【発明の開示】
【発明が解決しようとする課題】
【０００９】
図１２〜図１４に示した従来の第４の例によるプリンタ装置１００では、印字ヘッド部１１４による印字後にサーマルヘッド部１１５で加熱されるので、その加熱によりロール紙１１１が、図１２に示すように、カールするという不都合がある。この場合、従来では、固定刃１２０は平坦な直刃形状に構成されているので、用紙切断時において、ロール紙１１１は、カールした状態で切断され、装置外に排出された際にもカールしたままの状態である。これにより、図１２〜図１４に示した従来の第４の例によるプリンタ装置１００では、ロール紙１１１のカールを補正するために、別途、カール補正機構を設ける必要があるため、装置の構成が複雑になるという問題点があった。
【００１０】
また、上記特許文献１に開示された構造では、固定刃および可動刃の刃先の少なくとも一方が、切断動作方向において反る方向に湾曲しているが、用紙切断の際に、用紙のカールを矯正する方向に用紙を押し付けていないので、カールを矯正する効果を得ることは困難であるという問題点がある。このため、この特許文献１においても、上記した従来の第４の例によるプリンタ装置と同様、別途、カール補正機構を設ける必要があるため、装置の構成が複雑になるという問題点がある。
【００１１】
また、上記特許文献２に開示された構造では、固定刃および可動刃は、用紙のカールを補正する方向に湾曲していないので、上記した従来の第４の例によるプリンタ装置と同様、装置外に排出された用紙はカールしたままの状態である。これにより、別途、カール補正機構を設ける必要があるため、装置の構成が複雑になるという問題点がある。
【００１２】
また、上記特許文献３に開示された構造では、カール癖を補正するための部材を、用紙切断機構とは別に設けているため、装置の構成が複雑になるという問題点がある。
【００１３】
この発明は、上記のような課題を解決するためになされたものであり、装置の構成を複雑化することなくロール紙のカールを補正することが可能なプリンタ装置を提供することを目的とする。
【課題を解決するための手段および発明の効果】
【００１４】
この発明の第１の局面によるプリンタ装置は、ロール紙を印画するためのサーマルヘッド部と、印画されたロール紙の先端および後端を切断するための金属製の板状の固定刃および金属製の円形状の回転刃と、固定刃に対して回転刃を回転しながら移動させる回転刃駆動機構部とを備えたプリンタ装置において、板状の固定刃は、印画されたロール紙のカールを補正することが可能な方向に所定の曲率半径で湾曲された切断面を有しており、回転刃駆動機構部は、板状の固定刃の湾曲された切断面と同じ方向に湾曲されたレール部と、回転刃をレール部に沿って移動させるための駆動ベルトと、回転刃を回転可能に支持する支持部と、駆動ベルトに取り付けられ、駆動ベルトの移動に伴って移動するベルト取付
部と、レール部に対して移動可能に係合するレール係合部と、固定刃に接触するとともに、駆動ベルトの移動に伴って回転することにより回転刃を回転させるためのタイヤ状部材とを有する回転刃保持部材とを含む。また、回転刃保持部材が湾曲されたレール部に沿って移動することにより、円形状の回転刃は、板状の固定刃の湾曲された切断面と所定の重なりを維持しながら、かつ、回転しながら移動するように構成されている。
【００１５】
この第１の局面によるプリンタ装置では、上記のように、印画されたロール紙のカールを補正することが可能な方向に所定の曲率半径で湾曲された切断面を有する板状の固定刃を設けることによって、印画されたロール紙を切断する際に、同時に印画されたロール紙のカールを補正することができる。これにより、別途、カール補正機構を設ける必要がないので、装置の構成を複雑化することなくロール紙のカールを補正することができる。また、円形状の回転刃を、板状の固定刃の湾曲された切断面と所定の重なりを維持しながら、かつ、板状の固定刃の湾曲された切断面に沿って回転しながら移動するように構成することによって、板状の固定刃を湾曲された切断面を有するようにした場合にも、容易に、印画されたロール紙を切断することができる。また、板状の固定刃の湾曲された切断面と同じ方向に湾曲されたレール部と、回転刃をレール部に沿って移動させるための駆動ベルトとを設けることによって、容易に、回転刃を、板状の固定刃の湾曲された切断面と所定の重なりを維持しながら、かつ、板状の固定刃の湾曲された切断面に沿って回転しながら移動させることができる。さらに、回転刃を回転可能に支持する支持部と、駆動ベルトに取り付けられ、駆動ベルトの移動に伴って移動するベルト取付部と、レール部に対して移動可能に係合するレール係合部と、固定刃に接触するとともに、駆動ベルトの移動に伴って回転することにより回転刃を回転させるためのタイヤ状部材とを有する回転刃保持部材を設けることによって、容易に、回転刃を板状の固定刃の湾曲された切断面に沿って回転しながら移動させることができる。
【００１６】
この発明の第２の局面によるプリンタ装置は、ロール紙を印画するためのサーマルヘッド部と、印画されたロール紙を切断するために設けられ、印画されたロール紙のカールを補正することが可能な方向に湾曲された切断面を有する板状の固定刃と、板状の固定刃の湾曲された切断面と接触する切断面を有する可動刃とを備えている。
【００１７】
この第２の局面によるプリンタ装置では、上記のように、印画されたロール紙のカールを補正することが可能な方向に湾曲された切断面を有する板状の固定刃を設けることによって、印画されたロール紙を切断する際に、同時に印画されたロール紙のカールを補正することができる。これにより、別途、カール補正機構を設ける必要がないので、装置の構成を複雑化することなくロール紙のカールを補正することができる。
【００１８】
上記第２の局面によるプリンタ装置において、好ましくは、可動刃は、板状の固定刃の湾曲された切断面と所定の重なりを維持しながら、かつ、板状の固定刃の湾曲された切断面に沿って回転しながら移動するように構成された円形状の回転刃を含んでいる。このように構成すれば、板状の固定刃を湾曲された切断面を有するようにした場合にも、容易に、印画されたロール紙を切断することができる。
【００１９】
この場合、プリンタ装置は、好ましくは、板状の固定刃の湾曲された切断面と同じ方向に湾曲されたレール部と、回転刃をレール部に沿って移動させるための駆動ベルトとをさらに備えている。このように構成すれば、容易に、回転刃を、板状の固定刃の湾曲された切断面と所定の重なりを維持しながら、かつ、板状の固定刃の湾曲された切断面に沿って回転しながら移動させることができる。
【００２０】
この場合、プリンタ装置は、好ましくは、回転刃を回転可能に支持する支持部と、駆動ベルトに取り付けられ、駆動ベルトの移動に伴って移動するベルト取付部と、レール部に
対して移動可能に係合するレール係合部と、固定刃に接触するとともに、駆動ベルトの移動に伴って回転することにより回転刃を回転させるためのタイヤ状部材とを有する回転刃保持部材をさらに備えている。このように構成すれば、容易に、回転刃を板状の固定刃の湾曲された切断面に沿って回転しながら移動させることができる。
【発明を実施するための最良の形態】
【００２１】
以下、本発明の実施の形態を図面に基づいて説明する。
【００２２】
図１は、本発明の一実施形態によるプリンタ装置の全体構成を示した概略図である。図２は、本発明の一実施形態によるプリンタ装置のカッター機構部を示した斜視図である。図３は、図２の矢印Ａ方向から見た状態を部分的に示した拡大図である。図４は、図３中の２００−２００線に沿った断面図である。図５は、図２に示した本発明の一実施形態によるプリンタ装置の固定刃の曲率半径を示した図である。図６は、図２に示した本発明の一実施形態によるプリンタ装置の回転刃保持部材を分解した状態を示した斜視図である。まず、図１〜図６を参照して、本発明の一実施形態によるプリンタ装置１の構造を説明する。
【００２３】
本発明の一実施形態によるプリンタ装置１は、図１に示すように、ロール紙１１を供給するための給紙部１２と、メインローラ１３ａとピンチローラ１３ｂとを含む用紙搬送機構部１３と、プラテンローラ１４ａと印字ヘッド１４ｂとを含む、ロール紙１１に印字を行う印字ヘッド部１４と、ロール紙１１に印画するためのサーマルヘッド部１５と、固定刃２０および回転刃３０を含むカッター機構部１０とを備えている。このカッター機構部１０は、図２に示すように、金属製の板状の固定刃２０と、金属製の円形状の回転刃３０と、回転刃保持部材４０と、レール部５０と、駆動ベルト６０と、駆動モータ側ギヤ７０と、駆動ベルト支持ギヤ８０とを含んでいる。
【００２４】
ここで、本実施形態では、図２、図３および図５に示すように、固定刃２０は、下方向に向かって凸になるように、Ｒ３４４５ｍｍの曲率半径を有するように湾曲している。すなわち、固定刃２０は、印画されたロール紙１１のカールを補正することが可能な方向に湾曲されている。また、回転刃３０は、湾曲された固定刃２０と所定の重なりを維持しながら、かつ、湾曲された固定刃２０に沿って回転しながら移動するように構成されている。この固定刃２０と回転刃３０とは、サーマルヘッド部１５で印画されたロール紙１１の先端および後端を切断するために設けられている。
【００２５】
また、回転刃保持部材４０は、図４および図６に示すように、回転刃収納部材４１と、蓋部材４２と、軸部４３と、ホイール部材４４と、圧縮コイルバネ４５と、Ｏ−リング４６と、ネジ４７とを含んでいる。なお、Ｏ−リング４６は、本発明の「タイヤ状部材」の一例である。また、回転刃収納部材４１には、２つの爪係合孔４１ａと、ネジ孔４１ｂと、凹部４１ｃと、ベルト取付部４１ｄと、レール係合部４１ｅとが設けられており、蓋部材４２には、２つの爪部４２ａと、雌ネジ部４２ｂと、凹部４２ｃとが設けられている。ベルト取付部４１ｄは、回転刃保持部材４０を駆動ベルト６０に取り付けるために設けられている。レール係合部４１ｅは、回転刃保持部材４０をレール部５０に対して移動可能に係合させるために設けられている。２つの爪部４２ａおよび２つの爪係合孔４１ａは、回転刃収納部材４１に蓋部材４２を嵌め込み固定するために設けられている。また、ネジ４７、ネジ孔４１ｂおよび雌ネジ部４２ｂは、回転刃収納部材４１と蓋部材４２とをより確実に固定するために設けられている。
【００２６】
軸部４３の一方の端部および他方の端部は、それぞれ、回転刃収納部材４１の凹部４１ｃおよび蓋部材４２の凹部４２ｃに係合されている。ホイール部材４４は、軸部４３によって回転可能に支持されている。なお、軸部４３およびホイール部材４４により、本発明
の「支持部」が構成されている。ホイール部材４４の周面部４４ａには、Ｏ−リング４６が嵌め込まれる。また、ホイール部材４４のボス部４４ｂは、回転刃３０の穴部３０ａに挿入される。このホイール部材４４は、回転刃３０を回転可能に支持するとともに、Ｏ−リング４６の回転力を回転刃３０に伝えるために設けられている。圧縮コイルバネ４５は、回転刃３０と、回転刃収納部材４１との間に設けられ、回転刃３０をホイール部材４４の方向に付勢するために設けられている。Ｏ−リング４６は、固定刃３０に接触するとともに、回転刃保持部材４０の移動に伴って回転するように設けられている。
【００２７】
また、レール部５０は、固定刃２０の上面上に、固定刃２０の長手方向に沿って延びるように設けられている。ここで、レール部５０は、下方向に湾曲された固定刃２０と実質的に同じ曲率半径（Ｒ３４４５ｍｍ）で下方向に湾曲されている。駆動ベルト６０は、レール部５０の上方に配置されており、ループ状に構成されている。この駆動ベルト６０は、回転刃保持部材４０をレール部５０に沿って移動させるために設けられている。また、ループ状の駆動ベルト６０の両端部に内接するように、駆動モータ側ギヤ７０および駆動ベルト支持ギヤ８０が設けられている。駆動モータ側ギヤ７０は、駆動モータ（図示せず）の駆動力を駆動ベルト６０に伝達するために設けられている。なお、回転刃保持部材４０、レール部５０、駆動ベルト６０、駆動モータ側ギヤ７０および駆動ベルト支持ギヤ８０により、本発明の「回転刃駆動機構部」が構成されている。
【００２８】
図７〜図１１は、図２に示したプリンタ装置のカッター機構部における用紙切断動作を説明するための図である。次に、図１および図７〜図１１を参照にして、本実施形態によるプリンタ装置のカッター機構部１０におけるロール紙１１の切断動作を説明する。
【００２９】
まず、ロール紙１１の搬送時および切断時におけるロール紙１１の形状の変化について説明する。ロール紙１１の搬送時、すなわち、切断時以外では、図１、図７および図８に示すように、サーマルヘッド部１５で印画されたロール紙１１は、カールした状態で搬送されている。なお、この状態では、図８に示すように、用紙押えローラ９０が下方向に移動している。次に、ロール紙１１の切断時になると、用紙押えローラ９０が、上方向（図８における矢印Ｃ方向）に移動して、ロール紙１１を下方向から固定刃２０の下面に押し付ける（図１０参照）。この場合、固定刃２０の下面は、下方向に凸になるように湾曲しているので、ロール紙１１も固定刃２０と同様に、図９に示すように、固定刃２０の長手方向において、下方向に凸になるように湾曲する。このため、ロール紙１１は、カール状態から脱した状態になる。
【００３０】
次に、ロール紙１１の切断時におけるカッター機構部１０の動作について説明する。駆動モータ（図示せず）で発生した駆動力が、駆動モータ側ギヤ７０を介して、駆動ベルト６０に伝わることにより、駆動ベルト６０が駆動する。これにより、ベルト取付部４１ｄによって駆動ベルト６０に取り付けられた回転刃保持部材４０は、レール係合部４１ｅによってレール部５０に係合された状態のまま、図９における矢印Ｅ方向および図１１における矢印Ｆ方向に移動する。この回転刃保持部材４０の移動に伴って、図１０に示すように、固定刃２０の下面に接触しているＯ−リング４６が回転運動する。この回転運動は、Ｏ−リング４６からホイール部材４４を介して、回転刃３０に伝わるので、回転刃３０は、固定刃２０に沿って回転運動する。これにより、回転刃３０は、ロール紙１１の切断方向（図９における矢印Ｅ方向）に回転しながら移動するので、ロール紙１１は固定刃２０に押し付けられながら切断される。
【００３１】
本実施形態では、上記のように、印画されたロール紙１１のカールを補正することが可能な方向（下に凸の方向）に湾曲された切断面を有する板状の固定刃２０を設けることによって、印画されたロール紙１１を切断する際に、同時に印画されたロール紙１１のカールを補正することができる。これにより、別途、カール補正機構を設ける必要がないので
、装置の構成を複雑化することなくロール紙１１のカールを補正することができる。
【００３２】
また、本実施形態では、円形状の回転刃３０を、板状の固定刃２０の湾曲された切断面と所定の重なりを維持しながら、かつ、板状の固定刃２０の湾曲された切断面に沿って回転しながら移動するように構成することによって、板状の固定刃２０を湾曲された切断面を有するようにした場合にも、容易に、印画されたロール紙１１を切断することができる。
【００３３】
また、本実施形態では、板状の固定刃２０の湾曲された切断面と同じ方向に湾曲されたレール部５０と、回転刃３０をレール部５０に沿って移動させるための駆動ベルト６０とを設けることによって、容易に、回転刃３０を、板状の固定刃２０の湾曲された切断面と所定の重なりを維持しながら、かつ、板状の固定刃２０の湾曲された切断面に沿って回転しながら移動させることができる。
【００３４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内のすべての変更が含まれる。
【００３５】
たとえば、上記実施形態では、曲率半径がＲ３４４５ｍｍとなるように湾曲された固定刃およびレール部を使用したが、本発明はこれに限らず、固定刃およびレール部の曲率半径としては、ロール紙の紙質などにより変化するカールの強弱にあわせて、カール補正に効果的な曲率半径を適宜選択するのが好ましい。また、ロール紙のカール方向が逆の場合には、固定刃およびレール部を上に凸に湾曲させればよい。
【００３６】
また、上記実施形態では、本発明の可動刃の一例として回転刃を用いる例を示したが、本発明はこれに限らず、回転刃以外の可動刃を用いても同様の効果を得ることができる。たとえば、はさみ状の可動刃を用いてもよい。
【図面の簡単な説明】
【００３７】
【図１】本発明の一実施形態によるプリンタ装置の全体構成を示した概略図である。
【図２】本発明の一実施形態によるプリンタ装置のカッター機構部を示した斜視図である。
【図３】図２の矢印Ａ方向から見た状態を部分的に示した拡大図である。
【図４】図３中の２００−２００線に沿った断面図である。
【図５】図２に示した本発明の一実施形態によるプリンタ装置の固定刃の曲率半径を示した図である。
【図６】図２に示した本発明の一実施形態によるプリンタ装置の回転刃保持部材を分解した状態を示した斜視図である。
【図７】本発明の一実施形態によるプリンタ装置のロール紙搬送時におけるカッター機構部の状態を示した斜視図である。
【図８】図７の矢印Ｂ方向から見た状態を示した図である。
【図９】本発明の一実施形態によるプリンタ装置のロール紙を切断する直前のカッター機構部の状態を示した斜視図である。
【図１０】図９の矢印Ｄ方向から見た状態を示した図である。
【図１１】本発明の一実施形態によるプリンタ装置のロール紙切断時におけるカッター機構部の状態を示した上面図である。
【図１２】従来のプリンタ装置の全体構成を示した概略図である。
【図１３】従来のプリンタ装置のロール紙切断動作を概略的に示した図である。
【図１４】図１３の矢印Ｇ方向から見た状態を示した図である。
【符号の説明】
【００３８】
１  プリンタ装置
１１  ロール紙
１５  サーマルヘッド部
２０  固定刃
３０  回転刃
４０  回転刃保持部材（回転刃駆動機構部）
４１ｄ  ベルト取付部
４１ｅ  レール係合部
４３  軸部（支持部）
４４  ホイール部材（支持部）
４６  Ｏ−リング（タイヤ状部材）
５０  レール部（回転刃駆動機構部）
６０  駆動ベルト（回転刃駆動機構部）
【図１】
2005131870.tif 000003
【図２】
2005131870.tif 000004
【図３】
2005131870.tif 000005
【図４】
2005131870.tif 000006
【図５】
2005131870.tif 000007
【図６】
2005131870.tif 000008
【図７】
2005131870.tif 000009
【図８】
2005131870.tif 000010
【図９】
2005131870.tif 000011
【図１０】
2005131870.tif 000012
【図１１】
2005131870.tif 000013
【図１２】
2005131870.tif 000014
【図１３】
2005131870.tif 000015
【図１４】
2005131870.tif 000016